(57)【要約】  靴の装着具であって、前記靴に取り付けるための本体部材と、前記本体部材に取り付けられ、又は、組み込まれ、前記装着具が取り付けられる靴の外部から見ることができ、装飾、飾り付け、又は、情報表示を提供するように機能するディスプレイ部とを有する靴の装着具。典型的には、前記ディスプレイ部は前記本体部に取り付けられた３次元の部材であり、好ましい形態では、前記ディスプレイ部は前記本体部に取り付けられた３次元の部材であって、前記ディスプレイ部が少なくとも部分的に前記本体部材に対して自由に動くことができる。他の形態では、前記ディスプレイ部は、文字及び／又は数字を含む、前記本体部分の１部であるか、又は、前記本体部分に取り付けられた表面領域である請求項１又は２の靴の装着具。【選択図】図２
2011509787.tif 000002
【特許請求の範囲】
【請求項１】
靴の装着具であって、
前記装着具を前記靴に取り付けるための本体部材と、
前記本体部材に取り付けられ、又は、組み込まれ、前記装着具が取り付けられる靴の外部から見ることができ、装飾又は情報表示を提供するように機能するディスプレイ部とを有する靴の装着具。
【請求項２】
前記ディスプレイ部が前記本体部に取り付けられた３次元の部材である請求項１に記載の靴の装着具。
【請求項３】
前記ディスプレイ部が前記本体部に取り付けられた３次元の部材であり、前記ディスプレイ部が少なくとも部分的に前記本体部材に対して自由に動くことができる請求項２に記載の靴の装着具。
【請求項４】
前記ディスプレイ部が、文字及び／又は数字を含む、前記本体部分の１部であるか、又は、前記本体部分に取り付けられた表面領域である請求項１又は２の靴の装着具。
【請求項５】
前記ディスプレイ部は、前記ディスプレイ部が取り付けられ、又は、組み込まれた前記本体部材に対して、全体的に又は部分的に外観が対照をなすことを特徴とする請求項１〜４のいずれか一項に記載の靴の装着具。
【請求項６】
添付図面を参照して本明細書で説明した靴の装着具。
【請求項７】
前記靴を履く人のかかとの入りを容易にし、及び／又は、前記靴を履く人のかかとを保護するように靴のヒール領域に取り付けるように適合されている請求項１〜６のいずれか一項に記載の靴の装着具。
【請求項８】
前記靴のヒール領域以外の領域に取り付けられるように適合されている請求項１〜７のいずれか一項に記載の靴の装着具。
【請求項９】
前記ディスプレイ部が、前記本体部分に取り外し可能に取り付けられ、又は、組み込まれている請求項１〜８のいずれか一項に記載の靴の装着具。
【請求項１０】
請求項１〜９のいずれか一項に記載の靴の装着具の対であって、前記対の第１の装着具が１足の靴の第１の靴のためのものであり、前記対の第２の装着具が前記１足の靴の第２のもののためを意図されており、前記第２の装着具の外観が、少なくとも部分的に、前記第１の装着具の外観の鏡像をなす、靴の装着具の対。
【請求項１１】
請求項１〜９のいずれか一項の靴の装着具を装着した靴。
【請求項１２】
請求項１〜９のいずれか一項の靴の装着具をそれぞれが装着した１足の靴
【請求項１３】
請求項１０の靴の装着具の対を装着した１足の靴。
【発明の詳細な説明】
【技術分野】
【０００１】
本発明は履物の装着具（footwear fitment）に関する。
【背景技術】
【０００２】
共同体意匠登録０００５２６１８１−０００１（以下、「意匠登録」）では、靴のヒール部分に配置し得るヒール保護具が示されている。これは、足に靴を履く人のかかとを保護するように機能する。これは更に、この保護具を付けた靴を履いた人の足の摩擦を防止する。
【先行技術文献】
【特許文献】
【０００３】
【特許文献１】英国特許公開公報ＧＢ２４１６６６３Ａ号
【発明の開示】
【発明が解決しようとする課題】
【０００４】
この意匠登録の保護具の開発において、この保護具の更なる重要な応用が可能であることが明らかになった。
【課題を解決するための手段】
【０００５】
本発明の第１の側面に従えば、履物の装着具であって、前記装着具を前記履物に取り付けるための本体部材と、前記本体部材に取り付けられ、又は、組み込まれ、前記装着具が取り付けられる履物の外部から見ることができ、装飾、飾り付け、又は、情報表示を提供するように機能するディスプレイ部とを有する履物の装着具が提供される。
【０００６】
上記第１の側面の第１の好ましい態様に従えば、前記ディスプレイ部は前記本体部に取り付けられた３次元の部材である。典型的には、前記ディスプレイ部は、前記ディスプレイ部が少なくとも部分的に前記本体部材に対して自由に動くことができる３次元の部材である。
【０００７】
本発明の第１の側面の第２の好ましい態様、又は、その第１の好ましい態様に従えば、前記ディスプレイ部は、文字及び／又は数字を含む、前記本体部分の１部であるか、又は、前記本体部分に取り付けられた表面である。
【０００８】
本発明の第１の側面の第３の好ましい態様、又は、その任意の前述の好ましい態様に従えば、前記ディスプレイ部は、前記ディスプレイ部が取り付けられ、又は、組み込まれた前記本体部材に対して全体的に又は部分的に外観が対照をなす。
【０００９】
本発明の第１の側面の第４の好ましい態様、又は、その任意の前述の好ましい態様に従えば、前記履物を装着する人のかかとの入りを容易にし、及び／又は、前記履物を履く人のかかとを保護するために靴のヒール領域に取り付けるように適合されている。
【００１０】
本発明の第１の側面の第５の好ましい態様、又は、その任意の前述の好ましい態様に従えば、前記履物の装着具は、前記履物のヒール領域以外の領域に取り付けられるように適合されている。
【００１１】
本発明の第１の側面の第６の好ましい態様、又は、その任意の前述の好ましい態様に従えば、前記ディスプレイ部は、前記本体部分に取り外し可能に取り付けられ、又は、取り外し可能に組み込まれる。
【００１２】
本発明の第２の側面に従えば、前記第１の側面又は任意の好ましい態様に従う１対の履物の装着具が提供され、当該対の第１の装着具は１対の品物の第１の品物のためのものであり、当該対の第２の装着具は、前記１対の履物の第２の品物のためを意図されており、前記第２の装着具の外観が、少なくとも部分的に、前記第１の装着具の外観の鏡像をなすものである。
【００１３】
本発明の第３の側面に従えば、本発明の第１の側面、又は、その上記した任意の態様に従う装着具を装着した履物物品が提供される。
【００１４】
本発明の第４の側面に従えば、本発明の第１の側面、又は、その上記した任意の態様に従う１対の履物物品が提供され、前記対の第１の装着具が１対の物品における第１の履物物品のためのものであり、前記対の第２の装着具が前記１対の履物の第２の物品のためを意図されており、前記第２の装着具の外観が、少なくとも部分的に、前記第１の装着具の外観の鏡像をなす。
【００１５】
本発明の第５の側面に従えば、本発明の第１の側面、又は、その上記した任意の態様に従う履物の装着具を装着した履物が提供される。
【００１６】
本発明の第６の側面に従えば、それぞれが本発明の第１の側面、又は、その上記した任意の態様に従う履物の装着具を装着した１対の履物物品が提供される。
【００１７】
本発明の第７の側面に従えば、第４の側面に従う１対の履物の装着具を装着した１対の履物物品が提供される。
【図面の簡単な説明】
【００１８】
【図１】図１Ａ−１Ｃは、それぞれ、共同体意匠登録０００５２６１８１の主題である要素の正面斜視図、背面斜視図、及び、側面斜視図。
【図２】図２は、靴の装着具の第１実施形態の正面図。
【図３】図３は、図２の実施形態の側面図。
【図４】図４は、靴の装着具の第２実施形態の正面図。
【図５】図５は、図４の実施形態の側面図。
【図６】図６は、図２，３の実施形態のディスプレイ部と類似のディスプレイ部を装着するが、靴のヒールと異なる部分にディスプレイ部を有する靴の側面図。
【発明を実施するための形態】
【００１９】
図１Ａ−１Ｃは、本発明に従うディスプレイ部を取り付けることができる本体部材Ｂを示す。本体部材Ｂはプラスチック材料の成型品である。部材Ｂは、内側Ｃ、外側Ｄ、内側Ｆを有するリップＥ及び外側Ｇを有する。ギャップＨがリップＥの下に提供され、一方ではリップＥの内側Ｆにより、他方では部材Ｂの外側Ｄにより境界付けられる。
【００２０】
図２，３は、本体部材Ｂ’及びこの場合は吊り下げ装飾２２であるディスプレイ部からなる装着具２１の第１の実施形態を示す。
【００２１】
本体部材Ｂ’は図１Ａ−１Ｃの本体部材Ｂと形態及び機能が類似する。本体部材Ｂの要素部分Ｂ−Ｈに対応する本体部材Ｂ’の要素部分には、ダッシュ（’）を付けた類似の符号が付与されている。本体部材Ｂ’はプラスチック材料からなり、装着具２１が使用される靴に適切なように着色されている。所望であれば、本体部材Ｂ’又は少なくとも使用時に見える唯一の部分である本体部材Ｂ’のリップＥ部分は、透明又は半透明の材料とし得る。
【００２２】
装飾２２の下部分は明るくメッキされたプラスチック材料の幾つかの分かれたストランドＳからなる。装飾２２は、本体部材Ｂ’に取り付けられた固定の上端２３から、ストランドＳが相互に及び本体部材Ｂ’に対して自由に相対的に動くことができるように吊り下がっている。
【００２３】
使用時には、図２，３に示すように、装着具２１は靴Ｓの背部から装飾２２を吊り下げた状態で靴に取り付けられる。リップＥ’は靴Ｓのヒール上方部分２４の頂部に載置され、本体部材の外側Ｄ’は、必要であれば当該外側を接着層で取り付けることができるヒール部分の内側に置かれる。この第１実施形態では、装飾２２は、装着者が靴を動かすと、印象的な視覚効果を生むように横に揺れ易い。
【００２４】
図４，５は、図２，３に示す第１のものの２番目のものと類似の第２実施形態を示す。したがって、図２，３の要素に類似の図４，５の要素には、２重ダッシュ（”）を付けた類似の参照文字又は数字が付与されている。
【００２５】
この第２実施形態では、装着具４１は、本体部材Ｂ”と静的装飾４２の形態のディスプレイ部からなる。装飾４２は、リップＥ”への取付により取り付けられた裏張に固定された切り子面カットされたクリスタルの要素の配列である。この第２実施形態では、装飾４２は、装着具４１を取り付けた靴Ｓ”の装着者が足を動かすか、静かに保つかに関わらず、きらきら光る効果を生む。
【００２６】
装飾２２，４２は、任意の形態の服飾宝石、貴金属、原石に使用される材料を含む任意の材料から構成され得る。さらに、装飾２２，４２は比較的小さいものが示されている。他の実施形態は、所望であれば比較的大きいサイズの装飾を使用し得る。しかし、そのような場合は、使用が靴での歩行を含むのならば、引き続いて使用することが装着具を損傷し、装着具を装着した靴の装着者を害することがないことが望ましい。
【００２７】
上記した実施形態では、装着具は靴のヒール領域に取り付けられる。しかし、装着具は、リップと本体部材のその他の部分の間のギャップによる簡単だけれども確実な取り付けにより、履物の他の部分への取り付けに適している。例えば、図６は、図４，５で参照した装着具４１に類似の装着具５１を取り付けた靴Ｔを示す。この場合、装着具５１は、ヒール以外の場所の靴Ｔの周辺部Ｐの位置で靴Ｔに取り付けられている。
【００２８】
更に他の実施形態では、ディスプレイ部は、装飾又は飾り以外の何かであり得る。例えば、ディスプレイ部は、ロゴ、メッセージ又は他の識別子の形態を取り得る。典型的には、旅客機のキャビンのスタッフや他の形態の輸送機関のスタッフは、関連するエアラインを特定する本発明に従う装着具を用いることができる。
【００２９】
本発明は、フラッシュや装着具のディスプレイ部の視覚要素の変化など、装着具のディスプレイ部が外観を変化させることができるように、靴に配置された電池に結合した駆動可能な装着具を提供することもできる。
【００３０】
例示した実施形態では、ディスプレイ部は本体部材に恒久的に取り付けられている。代替的な実施形態では、ディスプレイ部を本体部材に取り外し可能に取り付けることも考えられる。これは、所与のディスプレイ部を清掃又は修理することを可能にする。
【産業上の利用可能性】
【００３１】
本発明は、履物商品に取り付ける新規な装着具を提供し、これにより、装飾、飾り、情報提示的なディスプレイ部を履物に容易に取り付けることが可能になる。
【図１】
2011509787.tif 000003
【図２】
2011509787.tif 000004
【図３】
2011509787.tif 000005
【図４】
2011509787.tif 000006
【図５】
2011509787.tif 000007
【図６】
2011509787.tif 000008
【国際調査報告】
2011509787.tif 000009
2011509787.tif 000010
2011509787.tif 000011
2011509787.tif 000012